(57)【要約】【課題】簡単に毛髪の根元付近に整髪剤を付与することが可能な整髪具及び整髪部付きアタッチメントを提供すること。【解決手段】整髪具であって、容器と整髪部付きアタッチメント（２０）とを備え、容器は吐出機構を有し、整髪部付きアタッチメント（２０）は、吐出機構に対して着脱自在に接続されることが可能な被接続部と、吐出機構から吐出された整髪剤を噴霧するための噴霧口（３４ａ）を有する噴霧部（３４）と、整髪剤を毛髪に付与しながら整髪可能な整髪部（６４）と、整髪部（６４）を支持する支持部（５４）と、を有し、支持部（５４）は、噴霧口（３４ａ）から噴霧される整髪剤の噴霧方向について噴霧口（３４ａ）と重なる位置に形成されているとともに噴霧方向に支持部（５４）を貫通しかつ噴霧方向から見たときに噴霧口（３４ａ）以上の大きさを有する窓部（５４ａ）を有するとともに、窓部（５４ａ）の周囲において整髪部（６４）を支持すること。【選択図】図３
2017169986.tif 000002
【特許請求の範囲】
【請求項１】
整髪具であって、
整髪剤を収容可能な容器と、
前記容器に対して着脱自在に接続されることが可能な整髪部付きアタッチメントと、を備え、
前記容器は、前記整髪剤を吐出可能な吐出機構を有し、
前記整髪部付きアタッチメントは、
前記吐出機構に対して着脱自在に接続されることが可能な被接続部と、
前記吐出機構から吐出された前記整髪剤を噴霧するための噴霧口を有する噴霧部と、
前記整髪剤を毛髪に付与しながら整髪可能な整髪部と、
前記整髪部を支持する支持部と、を有し、
前記支持部は、前記噴霧口から噴霧される前記整髪剤の噴霧方向について前記噴霧口と重なる位置に形成されているとともに前記噴霧方向に当該支持部を貫通しかつ前記噴霧方向から見たときに前記噴霧口以上の大きさを有する窓部を有するとともに、前記窓部の周囲において前記整髪部を支持する、整髪具。
【請求項２】
請求項１に記載の整髪具において、
前記整髪部は、毛髪の特定の部位に噴霧された前記整髪剤を当該毛髪のうち前記特定の部位の周囲の部位に分散させるための複数の分散用ピンを有し、
前記支持部は、前記窓部の周囲において各分散用ピンを支持する分散用ピン支持部を有し、
各分散用ピンの長さは、当該分散用ピンと前記窓部の中心との距離が小さくなるにしたがって短くなるように設定されている、整髪具。
【請求項３】
請求項２に記載の整髪具において、
前記整髪部は、それぞれが各分散用ピンよりも長い複数の保持用ピンをさらに有し、
前記支持部は、前記分散用ピン支持部の周囲において各保持用ピンを支持する保持用ピン支持部をさらに有する、整髪具。
【請求項４】
請求項１ないし３のいずれかに記載の整髪具において、
前記噴霧方向と直交する第１直交方向についての前記窓部の寸法は、前記噴霧方向および前記第１直交方向の双方と直交する第２直交方向についての前記窓部の寸法よりも大きく設定されており、
前記噴霧部は、前記第１直交方向についての前記整髪剤の噴霧角の方が前記第２直交方向についての前記整髪剤の噴霧角よりも大きくなるように前記整髪剤を噴霧する、整髪具。
【請求項５】
請求項１ないし４のいずれかに記載の整髪具において、
前記整髪部付きアタッチメントは、
指で押圧されることが可能な形状を有しかつ指で押圧されたときに前記吐出機構を押圧する押圧部と、
前記押圧部の周囲を被覆する被覆部であって、当該被覆部の外部から前記押圧部へ向けた指の挿入を許容する挿入口を有するものと、をさらに有する、整髪具。
【請求項６】
吐出機構を有するとともに整髪剤を収容可能な容器に対して着脱自在に接続可能で、かつ、前記容器に接続された状態において前記吐出機構から吐出された前記整髪剤を毛髪に噴霧しながら整髪することが可能な整髪部付きアタッチメントであって、
前記吐出機構に対して着脱自在に接続されることが可能な被接続部と、
前記吐出機構から吐出された前記整髪剤を噴霧するための噴霧口を有する噴霧部と、
前記整髪剤を毛髪に付与しながら整髪可能な整髪部と、
前記整髪部を支持する支持部と、を有し、
前記支持部は、前記噴霧口から噴霧される前記整髪剤の噴霧方向について前記噴霧口と重なる位置に形成されているとともに前記噴霧方向に当該支持部を貫通しかつ前記噴霧方向から見たときに前記噴霧口以上の大きさを有する窓部を有するとともに、前記窓部の周囲において前記整髪部を支持する、整髪部付きアタッチメント。
【発明の詳細な説明】
【技術分野】
【０００１】
本発明は、整髪するための整髪具に関する。
【背景技術】
【０００２】
従来、毛髪のボリュームを増やす方法として、毛髪の形状を保持可能な整髪剤を噴霧させることが可能な整髪具（いわゆるヘアスプレー）を用いる方法が知られている。この方法では、毛髪のボリュームが増加した外観が得られるように一方の手で毛髪を持った状態において、他方の手でその毛髪に向けて上記整髪具から整髪剤を噴霧させることによって毛髪をその形状に保持する。これにより、毛髪のボリュームが増加した外観が得られる。しかしながら、この方法は、使用者の技量に大きく依存する。
【０００３】
そこで、特許文献１に記載されるような整髪具を用いることが考えられる。この整髪具は、整髪剤を収容する容器と、容器に装着された整髪部付きアタッチメントと、を備えている。整髪部付きアタッチメントは、容器のステムに装着された連通筒部材と、連通筒部材に接続された整髪部材と、を有している。連通筒部材は、ステムから上方に向かって延びる筒状の部材であり、その内側が整髪剤の流路を形成している。整髪部材は、連通筒部材から上方に向かって延びる形状を有する流出筒と、流出筒の前壁から当該流出筒の軸方向と直交する方向に沿って外向きに延びる整髪部（ブラシ）と、を有している。流出筒の内部は、連通筒部材の内部と連通しており、流出筒の前壁には、複数の小透孔が形成されている。このため、ステムから吐出された整髪剤は、連通筒部材内及び流出筒内を流動した後、各小透孔を通じて流出筒外に流出する。そして、各小透孔を通じて流出した整髪剤は、整髪部の基端部から先端部に向かって流動する。この整髪具によれば、整髪部で毛髪を梳かしながら当該整髪部に保持されている整髪剤を毛髪に付与することができるので、使用者の技量への依存度合が低減する。
【先行技術文献】
【特許文献】
【０００４】
【特許文献１】特開平９−２３９２９号公報
【発明の概要】
【発明が解決しようとする課題】
【０００５】
毛髪のボリュームが増加した外観を得るには、毛髪の根元付近に整髪剤を付与することが効果的であるが、特許文献１に記載の整髪具では、毛髪の根元付近に整髪剤を付与することが困難である。例えば、特許文献１に記載される整髪具によってなるべく毛髪の根元付近に整髪剤を付与する方法として、ステムから整髪部（ブラシ）に整髪剤を流出させたのちに当該整髪部を毛髪に挿し入れるのではなく、ステムから整髪剤を流出させていない状態で整髪部により毛髪を所望の形状に保持し、その状態でステムから整髪剤を流出させた後、整髪部で毛髪を梳かしながら当該毛髪に整髪剤を付与することが挙げられる。しかしながら、特許文献１に記載される整髪具は、ステムから各小透孔までの流路が長いので各小透孔から整髪剤を吐出させるための圧力が確保されにくいうえ、整髪部の基端部側から先端部側に向かって各小透孔を通じて整髪剤が流動する構造であるので、整髪部の基端部付近に整髪剤が多くが留まり、整髪部の先端部にまで流動する整髪剤が確保されにくい。よって、整髪部の先端部を頭皮に接触させたうえで上記方法を採用したとしても、毛髪の根元付近への整髪剤の付与が困難であり、むしろ、毛髪のうち根元から離間した部位に整髪剤が多く付与される。以上のように、特許文献１に記載の整髪具では、毛髪の根元付近に整髪剤を付与することによって毛髪のボリュームを効果的に増やすことが困難であり、さらに、毛髪のうち根元から離間した部位に整髪剤が多く付与されることから、毛髪に整髪剤が付与されていることが視認されやすくなる。
【０００６】
以上の課題は、整髪剤を収容する容器が吐出機構としてステムを有するもの（いわゆるエアゾールスプレータイプ）に限らず、いわゆるポンプスプレータイプやミストスプレータイプ等においても広く生じ得る。
【０００７】
本発明の目的は、簡単に毛髪の根元付近に整髪剤を付与することが可能な整髪具及び整髪部付きアタッチメントを提供することである。
【課題を解決するための手段】
【０００８】
前記課題を解決するための手段として、本発明は、整髪具であって、整髪剤を収容可能な容器と、前記容器に対して着脱自在に接続されることが可能な整髪部付きアタッチメントと、を備え、前記容器は、前記整髪剤を吐出可能な吐出機構を有し、前記整髪部付きアタッチメントは、前記吐出機構に対して着脱自在に接続されることが可能な被接続部と、前記吐出機構から吐出された前記整髪剤を噴霧するための噴霧口を有する噴霧部と、前記整髪剤を毛髪に付与しながら整髪可能な整髪部と、前記整髪部を支持する支持部と、を有し、前記支持部は、前記噴霧口から噴霧される前記整髪剤の噴霧方向について前記噴霧口と重なる位置に形成されているとともに前記噴霧方向に当該支持部を貫通しかつ前記噴霧方向から見たときに前記噴霧口以上の大きさを有する窓部を有するとともに、前記窓部の周囲において前記整髪部を支持する、整髪具を提供する。
【０００９】
本整髪具では、噴霧口と窓部とが前記噴霧方向に重なっているとともに窓部が噴霧口以上の大きさを有し、かつ、支持部は、窓部の周囲において整髪部を支持しているので、噴霧口から噴霧された整髪剤の多くは、窓部を通じて毛髪に直接付与される。換言すれば、噴霧口から噴霧された整髪剤の整髪部への付着が抑制される。よって、この整髪具では、整髪部で毛髪を所望の形状に保持した状態で当該毛髪の根元付近に向けて噴霧口及び窓部を通じて整髪剤を噴霧することにより、毛髪のうち根元から離れた部位への整髪剤の付着が抑制され、毛髪の根元付近に対して簡単にかつ有効に整髪剤が付与される。したがって、毛髪に整髪剤が付与されていることが視認されるのが抑制されつつ毛髪のボリュームが増加した外観が簡単に得られる。
【００１０】
なお、「噴霧方向」とは、整髪剤の噴霧形態からみてその噴霧の主たる方向と認められる方向を意味する。例えば、整髪剤が噴霧口から特定の噴霧領域に広がるような噴霧角をもって円錐状あるいは扇形状に噴霧される場合、その噴霧領域の中央を通る直線の方向が噴霧方向に相当する。
【００１１】
また、前記整髪具において、前記整髪部は、毛髪の特定の部位に噴霧された前記整髪剤を当該毛髪のうち前記特定の部位の周囲の部位に分散させるための複数の分散用ピンを有し、前記支持部は、前記窓部の周囲において各分散用ピンを支持する分散用ピン支持部を有し、各分散用ピンの長さは、当該分散用ピンと前記窓部の中心との距離が小さくなるにしたがって短くなるように設定されていることが好ましい。
【００１２】
このようにすれば、噴霧口から特定の噴霧角で噴霧される整髪剤の分散用ピンへの付着が抑制されるので、毛髪の根元に対してより有効に整髪剤を付与することが可能となる。
【００１３】
この場合において、前記整髪部は、それぞれが各分散用ピンよりも長い複数の保持用ピンをさらに有し、前記支持部は、前記分散用ピン支持部の周囲において各保持用ピンを支持する保持用ピン支持部をさらに有することが好ましい。
【００１４】
この態様では、各分散用ピンの周囲に配置されかつ各分散用ピンよりも長い保持用ピンで所望の毛束を適切に保持することができるので、毛髪を所望の形状に維持することがより容易になる。
【００１５】
また、前記整髪具において、前記噴霧方向と直交する第１直交方向についての前記窓部の寸法は、前記噴霧方向および前記第１直交方向の双方と直交する第２直交方向についての前記窓部の寸法よりも大きく設定されており、前記噴霧部は、前記第１直交方向についての前記整髪剤の噴霧角の方が前記第２直交方向についての前記整髪剤の噴霧角よりも大きくなるように前記整髪剤を噴霧することが好ましい。
【００１６】
このようにすれば、前記第１直交方向について広角に整髪剤が噴霧される。よって、毛髪の広範囲にわたって効率的に整髪剤を付与することが可能となる。
【００１７】
また、前記整髪具において、前記整髪部付きアタッチメントは、指で押圧されることが可能な形状を有しかつ指で押圧されたときに前記吐出機構を押圧する押圧部と、前記押圧部の周囲を被覆する被覆部であって、当該被覆部の外部から前記押圧部へ向けた指の挿入を許容する挿入口を有するものと、をさらに有することが好ましい。
【００１８】
このようにすれば、整髪部付きアタッチメントが整髪する機能に加えて押圧部を被覆する機能をも備えるので、整髪部付きアタッチメントの被接続部が吐出機構に接続されることにより、使用者による挿入口を通じた押圧部の押圧が許容されつつ被覆部によって押圧部の誤操作（誤噴霧）が抑制される。
【００１９】
また、本発明は、吐出機構を有するとともに整髪剤を収容可能な容器に対して着脱自在に接続可能で、かつ、前記容器に接続された状態において前記吐出機構から吐出された前記整髪剤を毛髪に噴霧しながら整髪することが可能な整髪部付きアタッチメントであって、前記吐出機構に対して着脱自在に接続されることが可能な被接続部と、前記吐出機構から吐出された前記整髪剤を噴霧するための噴霧口を有する噴霧部と、前記整髪剤を毛髪に付与しながら整髪可能な整髪部と、前記整髪部を支持する支持部と、を有し、前記支持部は、前記噴霧口から噴霧される前記整髪剤の噴霧方向について前記噴霧口と重なる位置に形成されているとともに前記噴霧方向に当該支持部を貫通しかつ前記噴霧方向から見たときに前記噴霧口以上の大きさを有する窓部を有するとともに、前記窓部の周囲において前記整髪部を支持する、整髪部付きアタッチメントを提供する。
【００２０】
本整髪部付きアタッチメントでは、噴霧口と窓部とが前記噴霧方向に重なっているとともに窓部が噴霧口以上の大きさを有し、かつ、支持部は、窓部の周囲において整髪部を支持しているので、被接続部が容器の吐出機構に接続されることにより、吐出機構から吐出された後に噴霧口から噴霧された整髪剤の多くは、窓部を通じて毛髪に直接付与される。換言すれば、噴霧口から噴霧された整髪剤の整髪部への付着が抑制される。よって、この整髪部付きアタッチメントでは、整髪部で毛髪を所望の形状に保持した状態で当該毛髪に向けて噴霧口及び窓部を通じて整髪剤を噴霧することにより、毛髪のうち根元から離れた部位への整髪剤の付着が抑制され、毛髪の根元に対して簡単にかつ有効に整髪剤が付与される。
【発明の効果】
【００２１】
以上のように、本発明によれば、簡単に毛髪の根元付近に整髪剤を付与することが可能な整髪具及び整髪部付きアタッチメントを提供することができる。
【図面の簡単な説明】
【００２２】
【図１】本発明の一実施形態の整髪具の斜視図である。
【図２】図１とは異なる角度における整髪具の斜視図である。
【図３】整髪部付きアタッチメントの正面図である。
【図４】図３のＩＶ−ＩＶ線での断面図である。
【図５】噴霧ユニットの断面図である。
【図６】噴霧ユニットの斜視図である。
【図７】整髪部付きアタッチメントの変形例の断面図である。
【発明を実施するための形態】
【００２３】
本発明の一実施形態の整髪具１について、図１〜図６を参照しながら説明する。
【００２４】
図１及び図２に示されるように、本整髪具１は、整髪剤を収容する容器１０と、容器１０に対して着脱自在に接続されることが可能な整髪部付きアタッチメント２０と、を備えている。なお、整髪具１の使用時の姿勢は問われないが、以下の説明では、便宜上、図１及び図２の上下方向を上下方向とし、図４の左右方向を前後方向とする。
【００２５】
容器１０は、整髪剤を収容する収容部１２と、整髪剤を吐出する吐出機構としてのステム１４（図４を参照）と、を有している。ステム１４は、収容部１２の長手方向（図４の上下方向）と平行となる姿勢で収容部１２に接続されている。
【００２６】
整髪部付きアタッチメント２０は、容器１０に接続された状態においてステム１４から吐出された整髪剤を毛髪に噴霧しながら整髪することが可能である。本実施形態では、整髪部付きアタッチメント２０は、噴霧ユニット３０と、整髪ユニット５０と、を有している。
【００２７】
噴霧ユニット３０は、ステム１４から吐出された整髪剤を噴霧するためのユニットである。この噴霧ユニット３０は、被接続部３２と、噴霧口３４ａを有する噴霧部３４と、押圧部３８と、を有している。噴霧口３４ａは、ステム１４の近傍に位置している。
【００２８】
被接続部３２は、筒状に形成されており、ステム１４に対して着脱自在に接続されることが可能である。本実施形態では、被接続部３２は、ステム１４に外嵌可能な円筒状を呈する。被接続部３２の内側の空間は、ステム１４から吐出された整髪剤の流路の一部を構成する。
【００２９】
噴霧部３４は、被接続部３２の上端部から前向き（図４における左向き）に突出する形状を有する。噴霧部３４は、噴霧部本体３５と、分岐部材３６と、を有している。
【００３０】
噴霧部本体３５は、筒状を呈する。噴霧部本体３５の内側の空間は、被接続部３２の内側の空間と連通している。つまり、噴霧部本体３５の内側の空間は、ステム１４から吐出された整髪剤の流路の一部を構成している。図５に示されるように、噴霧部本体３５の内周面は、円筒状に湾曲する湾曲面３５ａと、上溝部３５ｂと、下溝部３５ｃと、を有している。上溝部３５ｂは、湾曲面３５ａの上部から上方に窪むとともに湾曲面３５ａの軸方向に沿って延びる形状を有する。下溝部３５ｃは、湾曲面３５ａの下部から下方に窪むとともに湾曲面３５ａの軸方向に沿って延びる形状を有する。
【００３１】
分岐部材３６は、図４に示されるように、噴霧部本体３５内に設けられている。分岐部材３６は、整髪剤の流路を分岐させる。分岐部材３６は、円筒状に形成されている。分岐部材３６は、噴霧部本体３５の中心軸Ｏ１に沿って前向きに整髪剤を噴霧させるための中央噴霧口３６ａを有する。分岐部材３６の外径は、湾曲面３５ａの直径と略同じかそれよりも僅かに大きく設定されている。つまり、分岐部材３６は、噴霧部本体３５内に圧入されている。分岐部材３６は、噴霧部本体３５内に圧入された状態において、被接続部３２内から噴霧部本体３５内につながる整髪剤の流路を、分岐部材３６の外周面と上溝部３５ｂとの隙間に形成される上側流路と、当該分岐部材３６の内側の流路と、分岐部材３６の外周面と下溝部３５ｃとの隙間に形成される下側流路と、に分岐する。すなわち、本実施形態では、前記上側流路の下流端に形成された上噴霧口３５ｄ、中央噴霧口３６ａ及び下側流路の下流端に形成された下噴霧口３５ｅが、ステム１４から吐出された整髪剤を噴霧するための噴霧口３４ａを構成する。噴霧口３４ａは、上噴霧口３５ｄ、中央噴霧口３６ａ及び下噴霧口３５ｅを有するので、すなわち、各噴霧口３５ｄ，３６ａ、３５ｅが上下方向に並ぶように配置されているため、噴霧部３４は、上下方向についての整髪剤の噴霧角の方が幅方向（図３の左右方向）についての整髪剤の噴霧角よりも大きくなるように整髪剤を噴霧する。なお、図５では、分岐部材３６は省略されている。
【００３２】
押圧部３８は、被接続部３２の上部に接続されている。押圧部３８は、指で押圧されることが可能である。本実施形態では、押圧部３８は、下向きに凸となるように湾曲する形状を有している。この押圧部３８が押圧（押下）されると、被接続部３２を介してステム１４が押圧されるので、収容部１２内の整髪剤がステム１４から吐出される。
【００３３】
本実施形態では、噴霧ユニット３０は、規制部４０と、係合部４２と、をさらに有している。
【００３４】
規制部４０は、噴霧部３４と押圧部３８との境界に設けられている。規制部４０は、噴霧部３４の上端部から上方に向かって突出するとともに前記幅方向に延びる形状を有する。規制部４０は、噴霧口３４ａ（特に上噴霧口３５ｄ）から噴霧された整髪剤が後方に流れることによって押圧部３８を押圧する指に付着するのを規制すると共に、押圧する指を押圧部３８上に位置させやすくする。
【００３５】
係合部４２は、収容部１２の上端に係合可能な形状を有している。係合部４２は、噴霧部３４の下部に接続されており、被接続部３２の周囲を取り囲む形状を有する。
【００３６】
整髪ユニット５０は、噴霧口３４ａから噴霧された整髪剤を毛髪に分散させつつ整髪することが可能である。この整髪ユニット５０は、基部５２と、被係合部６２と、整髪部６４と、を有する。
【００３７】
基部５２は、下向きに開口するとともに容器１０に接続された噴霧ユニット３０を覆う形状を有する。基部５２は、整髪部６４を支持する支持部５４と、押圧部３８の周囲を被覆する被覆部６０と、を有する。
【００３８】
支持部５４は、基部５２の前側の部位で構成されている。この支持部５４は、噴霧口３４ａから噴霧される整髪剤の噴霧方向（図４において右側から左側に向かう方向）について噴霧口３４ａと重なる位置に形成された窓部５４ａを有する。窓部５４ａは、前記噴霧方向に当該支持部５４を貫通している。図３に示されるように、前記噴霧方向あるいはその反対方向から見たときにおける窓部５４ａの大きさは、噴霧口３４ａの大きさ以上に設定されている。本実施形態では、「噴霧口３４ａの大きさ」とは、上噴霧口３５ｄの上端と下噴霧口３５ｅの下端との間の距離を意味する。図３に示されるように、窓部５４ａの上下方向の寸法は、窓部５４ａの幅方向の寸法よりも大きく設定されている。窓部５４ａの上下方向の寸法は、上噴霧口３５ｄと下噴霧口３５ｅとの間の距離よりも十分に大きく設定されている。窓部５４ａの幅方向の寸法は、噴霧部３４の外径よりも大きく設定されている。本実施形態では、窓部５４ａは、楕円形に形成されている。支持部５４は、窓部５４ａの周囲において整髪部６４を支持する。
【００３９】
ここで、「噴霧方向」とは、整髪剤の噴霧形態からみてその噴霧の主たる方向と認められる方向を意味する。例えば、整髪剤が噴霧口３４ａから特定の噴霧領域に広がるような噴霧角をもって円錐状あるいは扇形状に噴霧される場合、その噴霧領域の中央を通る直線の方向が噴霧方向に相当する。
【００４０】
被覆部６０は、押圧部３８の周囲を被覆する。被覆部６０は、基部５２の後側の部位で構成されている。被覆部６０は、支持部５４の後端部に接続されている。被覆部６０は、当該被覆部６０の外部から押圧部３８へ向けた指の挿入を許容する挿入口６０ａを有する。
【００４１】
被係合部６２は、図４に示されるように、基部５２の下部の内周面から内向きに突出する形状を有する。収容部１２の上端に対して係脱自在に係合（接続）されることが可能である。より具体的には、被係合部６２は、収容部１２の上端に対して当該上端の外側から係合することが可能である。被係合部６２が収容部１２に係合されることにより、基部５２が容器１０に接続される。
【００４２】
整髪部６４は、整髪剤を毛髪に付与しながら整髪可能である。整髪部６４は、複数の分散用ピン６６と、複数の保持用ピン６８と、を有する。
【００４３】
各分散用ピン６６は、毛髪の特定の部位に噴霧された整髪剤を当該毛髪のうち前記特定の部位の周囲の部位に分散させるためのピンである。図３に示されるように、複数の分散用ピン６６は、窓部５４ａを取り囲むように配置されている。つまり、支持部５４のうち窓部５４ａを取り囲む部位は、各分散用ピン６６を支持する分散用ピン支持部５６を構成する。図４に示されるように、各分散用ピン６６の長さは、当該分散用ピン６６と窓部５４ａの中心Ｏ２との距離が小さくなるにしたがって短くなるように設定されている。各分散用ピン６６は、上下方向の寸法よりも前記幅方向（図３の左右方向）の寸法の方が大きな偏平形に形成されている。
【００４４】
各保持用ピン６８は、各分散用ピン６６よりも長く、毛束を保持するためのピンである。図３に示されるように、複数の保持用ピン６８は、分散用ピン支持部５６が配置された領域を取り囲むように配置されている。つまり、支持部５４のうち分散用ピン支持部５６を取り囲む部位は、各保持用ピン６８を支持する保持用ピン支持部５８を構成する。各保持用ピン６８は、円柱状を呈する。各保持用ピン６８の直径は、各分散用ピン６６の上下方向の寸法よりも大きい。各保持用ピン６８の直径は、各分散用ピン６６の幅方向の寸法よりも小さい。各保持用ピン６８の先端は、当該保持用ピン６８の軸方向と直交する平面と平行となるように平坦に形成されている。図４に示されるように、各保持用ピン６８の先端は、同一平面上に位置している。
【００４５】
本実施形態では、整髪ユニット５０は、中間壁７０をさらに有する。中間壁７０は、基部５２の内面に接続されている。中間壁７０は、前記噴霧方向と直交する平板状に形成されている。中間壁７０は、挿入口６０ａを通じて被覆部６０内に挿入された指に当接することにより、本整髪ユニット５０の使用者が目視することなく指を押圧部３８上に載置する際の目安となる位置に設けられている。本実施形態では、中間壁７０は、規制部４０よりもわずかに前方に配置されている。図３に示されるように、中間壁７０は、支持部５４の前方から後方を見たときに窓部５４ａのうち規制部４０より上方の部位の大部分を閉塞する形状を有している。
【００４６】
次に、整髪具１の使用方法の例として、毛髪の根元付近に整髪剤を噴霧する方法を説明する。
【００４７】
まず、容器１０に整髪部付きアタッチメント２０を装着する。具体的には、被接続部３２がステム１４に接続され、係合部４２が収容部１２の上端に係合するように噴霧ユニット３０を容器１０に接続する。その後、窓部５４ａの中心Ｏ２が噴霧部３４の中心軸Ｏ１上に位置するように被係合部６２を収容部１２の上端に連結することにより整髪ユニット５０を容器１０に接続する。
【００４８】
続いて、整髪剤を出すことなく（押圧部３８を押圧することなく）整髪部６４を毛髪に挿し入れ、主に各保持用ピン６８により毛束を所望の形状に保持する。そして、噴霧口３４ａが前記毛束の根元付近を向く姿勢で押圧部３８を押圧する。そうすると、噴霧口３４ａと窓部５４ａとが前記噴霧方向に重なっているとともに窓部５４ａの大きさが噴霧口３４ａの大きさ以上であり、かつ、支持部５４は、窓部５４ａの周囲において整髪部６４を支持しているので、噴霧口３４ａから噴霧された整髪剤の多くは、窓部５４ａを通じて毛髪の根元付近に直接付与される。換言すれば、噴霧口３４ａから噴霧された整髪剤の整髪部６４への付着が抑制される。このように、この整髪具１では、整髪部６４で毛髪を所望の形状に保持した状態で当該毛髪の根元付近に向けて噴霧口３４ａ及び窓部５４ａを通じて整髪剤を噴霧することにより、毛髪のうち根元から離れた部位への整髪剤の付着が抑制され、毛髪の根元付近に対して簡単にかつ有効に整髪剤が付与される。したがって、毛髪に整髪剤が付与されていることが視認されるのが抑制されつつ毛髪のボリュームが増加した外観が簡単に得られる。
【００４９】
その後、毛髪の根元付近に付与された整髪剤を、当該毛髪の先端に向かって各分散用ピン６６で分散させつつ整髪する。
【００５０】
ここで、本実施形態では、各分散用ピン６６の長さは、当該分散用ピン６６と窓部５４ａの中心Ｏ２との距離が小さくなるにしたがって短くなるように設定されているので、噴霧口３４ａから特定の噴霧角で噴霧される整髪剤の分散用ピン６６への付着が抑制される。このため、毛髪の根元に対してより有効に整髪剤を付与することが可能となる。
【００５１】
また、各分散用ピン６６の周囲に配置されかつ各分散用ピン６６よりも長い保持用ピン６８で所望の毛束を適切に保持することができるので、毛髪を所望の形状に維持することがより容易になる。
【００５２】
また、窓部５４ａが上下方向に長い楕円形に形成されており、噴霧部３４は、上下方向についての整髪剤の噴霧角の方が幅方向についての整髪剤の噴霧角よりも大きくなるように整髪剤を噴霧するので、上下方向について広角に整髪剤が噴霧される。よって、毛髪の広範囲にわたって効率的に整髪剤を付与することが可能となる。
【００５３】
また、挿入口６０ａを有する被覆部６０によって押圧部３８の周囲が被覆されているので、使用者による挿入口６０ａを通じた押圧部３８の押圧が許容されつつ被覆部６０によって押圧部３８の誤操作（誤噴霧）が抑制される。すなわち、整髪部付きアタッチメント２０は、容器１０に装着されるキャップとしての機能を果たすことになる。
【００５４】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５５】
例えば、上記実施形態では、整髪ユニット５０は、容器１０に接続される例が示されたが、整髪ユニット５０は、容器１０に接続されるものに限られない。図７に示されるように、整髪ユニット５０の被係合部６２は、噴霧ユニット３０の噴霧部３４に対して着脱自在に接続される構造であってもよい。なお、図７では、分岐部材３６の図示は省略されている。
【００５６】
また、噴霧ユニット３０と整髪ユニット５０とは、一体的に形成されてもよい。
【００５７】
また、上記実施形態において、整髪ユニット５０は、噴霧ユニット３０の押圧部３８等に当接することにより当該整髪ユニット５０が噴霧ユニット３０に対して相対回転するのを規制する回転規制部を有していてもよい。
【００５８】
また、整髪部付きアタッチメント２０の接続対象は、ステム１４を有する容器１０（いわゆるエアゾールスプレータイプ）に限定されない。整髪部付きアタッチメント２０は、いわゆるポンプスプレータイプの容器やミストスプレータイプの容器に接続されることも可能である。
【符号の説明】
【００５９】
１    整髪具
１０    容器
１２    収容部
１４    ステム（吐出機構）
２０    整髪部付きアタッチメント
３０    噴霧ユニット
３２    被接続部
３４    噴霧部
３４ａ  噴霧口
３５ｄ  上噴霧口
３５ｅ  下噴霧口
３６    分岐部材
３６ａ  中央噴霧口
３８    押圧部
４０    規制部
５０    整髪ユニット
５２    基部
５４    支持部
５４ａ  窓部
５６    分散用ピン支持部
５８    保持用ピン支持部
６０    被覆部
６０ａ  挿入口
６２    被係合部
６４    整髪部
６６    分散用ピン
６８    保持用ピン
【図１】
2017169986.tif 000003
【図２】
2017169986.tif 000004
【図３】
2017169986.tif 000005
【図４】
2017169986.tif 000006
【図５】
2017169986.tif 000007
【図６】
2017169986.tif 000008
【図７】
2017169986.tif 000009